(57)【要約】【課題】情報を表示するために電圧が印加される電極が島状に孤立したものであっても、その電極に電圧を印加するための配線による視認性低下を回避する。【解決手段】ベース基材１３上に表示電極１１ａ，１１ｂに電圧を印加するために形成された配線１２ａ，１２ｂの両側に、ベース基材１３上における形成高さが、配線１２ａ，１２ｂのベース基材１３上における形成高さよりも高いダミー電極１４を配線１２ａ，１２ｂに沿って形成する。【選択図】図１
2011150065.tif 000002
【特許請求の範囲】
【請求項１】
ベース基材上に形成された第１の電極層と、前記第１の電極層の前記ベース基材とは反対側に対向配置された第２の電極層と、前記第１の電極層と前記第２の電極層との間に挟み込まれた情報表示層とを有し、前記第１の電極層が、島状に孤立した電極を具備し、前記第１の電極層を構成する電極に電圧を印加することにより、前記情報表示層を一方の面側から見た場合に、前記情報表示層の前記第１の電極層を構成する電極に対向する領域にて当該電極に印加された電圧に応じた色を表示する情報表示装置において、
前記孤立した電極に接続されて前記ベース基材上に形成され、前記孤立した電極に電圧を印加するための配線と、
前記ベース基材上の前記配線の両側に該配線に沿って配置され、前記ベース基材の前記情報表示層側の表面からの高さが、前記配線の前記ベース基材上における形成高さよりも高い土手部材とを有することを特徴とする情報表示装置。
【請求項２】
請求項１に記載の情報表示装置において、
前記土手部材は、前記電極及び配線と同一の材料から構成されている情報表示装置。
【発明の詳細な説明】
【技術分野】
【０００１】
本発明は、対向配置された２つの電極層間に挟み込まれた情報表示層において電極層に印加される電圧に基づいて情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある（例えば、特許文献１参照。）。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図４は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図４（ａ）に示すように、ガラスや透明フィルム等からなる透明基板１２２の一方の面に透明電極（例えば、ＩＴＯ：Indium Tin Oxide）１２１が形成されてなる透明導電膜基板１２０と、ベース基材１１３上に積層された絶縁層１１５との間に情報表示層１３０が挟み込まれて構成されている。
【０００６】
絶縁層１１５の情報表示層１３０に対向する面には、情報表示層１３０を用いて情報を表示するための複数の表示電極１１１が形成されており、また、絶縁層１１５の情報表示層１３０とは反対側の面には、表示電極１１１に電圧を印加するための配線１１２が形成されており、複数の表示電極１１１は、絶縁層１１５に形成された導通部１１４を介して配線１１２に接続されている。
【０００７】
情報表示層１３０は、図４（ｂ）に示すように、隔壁１３１とシール層１３４とで囲まれた領域に、帯電性粒子１３３が分散した隔壁内液体１３２が収容されて構成されている。隔壁１３１は、底部と、情報表示層１３０の外周部となる側部と、側部で囲まれた領域を複数の領域に区画するための壁部とからなり、底部とは反対側の面が開口した形状となっている。そして、底部側がベース基材１１３に対向するように積層されており、開口した側にシール層１３４が積層されている。
【０００８】
上記のように構成された電気泳動ディスプレイにおいては、表示電極１１１に選択的に電圧が印加されると、隔壁内液体１３２内にて帯電性粒子１３３がクーロン力で移動し、表示電極１１１と透明電極１２１のいずれか一方の側に引き寄せられる。そして、隔壁内液体１３２が染料または顔料で着色されており、帯電性粒子１３３が高屈折率の光散乱成分を含むため、透明導電膜基板１２０側から見た場合、表示電極１１１側に帯電性粒子１３３が引き寄せられた領域が着色された状態に見え、また、透明電極１２１側に帯電性粒子１３３が引き寄せられた領域が白色に見え、これら見える色の違いによって所望の情報が表現されることになる。
【０００９】
ここで、上述したような電気泳動ディスプレイにおいては、表示電極１１１と配線１１２とを接続するために絶縁層１１５に導通部１１４を形成する必要があるが、表示電極１１１に電圧を印加するための配線１１２をベース基材１１３の表示電極１１１と同一面に配置することにより、絶縁層１１５に導通部１１４を形成する必要がなくなり、そのための工程が不要となり、さらには、絶縁層１１５自体も不要となり、コストダウンを図ることができる。
【先行技術文献】
【特許文献】
【００１０】
【特許文献１】特開２００７−１１４３０２号公報
【発明の概要】
【発明が解決しようとする課題】
【００１１】
しかしながら、上述したように、表示電極に電圧を印加するための配線をベース基材の表示電極と同一面に配置した場合、表示電極に配線を介して選択的に電圧が印加されると、情報表示部の配線に対向する領域においても、上述したように隔壁内液体内にて帯電性粒子がクーロン力で移動し、透明導電膜基板側から見た場合、配線側に帯電性粒子が引き寄せられた領域が着色された状態に見え、また、透明電極側に帯電性粒子が引き寄せられた領域が白色に見え、そのため、表示電極によって表示される情報の視認性が低下してしまう。特に、表示電極が島状に孤立したものである場合、その表示電極から延びた配線による色の表示は目立つため、表示される情報の視認性が大きく低下してしまうという問題点がある。
【００１２】
本発明は、上述したような従来の技術が有する問題点に鑑みてなされたものであって、情報を表示するために電圧が印加される電極が島状に孤立したものであっても、その電極に電圧を印加するための配線による視認性低下を回避することができる情報表示装置を提供することを目的とする。
【課題を解決するための手段】
【００１３】
上記目的を達成するために本発明は、
ベース基材上に形成された第１の電極層と、前記第１の電極層の前記ベース基材とは反対側に対向配置された第２の電極層と、前記第１の電極層と前記第２の電極層との間に挟み込まれた情報表示層とを有し、前記第１の電極層が、島状に孤立した電極を具備し、前記第１の電極層を構成する電極に電圧を印加することにより、前記情報表示層を一方の面側から見た場合に、前記情報表示層の前記第１の電極層を構成する電極に対向する領域にて当該電極に印加された電圧に応じた色を表示する情報表示装置において、
前記孤立した電極に接続されて前記ベース基材上に形成され、前記孤立した電極に電圧を印加するための配線と、
前記ベース基材上の前記配線の両側に該配線に沿って配置され、前記ベース基材の前記情報表示層側の表面からの高さが、前記配線の前記ベース基材上における形成高さよりも高い土手部材とを有することを特徴とする。
【００１４】
上記のように構成された本発明においては、ベース基材上に形成された第１の電極層を構成する電極に電圧が印加されると、情報表示層を一方の面側から見た場合に、情報表示層の第１の電極層を構成する電極に対向する領域にてその電極に印加された電圧に応じた色が表示されるが、この際、第１の電極層を構成する電極には、ベース基材上に形成された配線を介して電圧が印加されることになる。第１の電極層は、島状に孤立した電極を具備しており、この電極に対してもベース基材上に形成された配線を介して電圧が印加されることになる。そのため、この配線に対向する領域においてもその配線を介して電極に印加される電圧に応じて、電極に対向する領域と同様の色が表示されることになり、電極が島状に孤立していることから、配線による色の表示が目立ってしまう。ここで、島状に孤立した電極に接続された配線の両側には、ベース基材の情報表示層側の表面からの高さが、配線のベース基材上における形成高さよりも高い土手部材が配線に沿って形成されているため、この土手部材によって、島状に孤立した電極に接続された配線と情報表示層との間隔が、第１の電極層を構成する電極と情報表示層との間隔よりも広くなる。それにより、情報表示層のこの配線に対向する領域においては、島状に孤立した電極に印加された電圧の影響が小さくなり、島状に孤立した電極に印加される電圧に応じた色が表示されにくくなる。そのため、情報表示層のうち、島状に孤立した電極に接続された配線に対向する領域においては、島状に孤立した電極に電圧が印加された場合であってもその電圧による色の変化が小さく、それにより、第１の電極層が島状に孤立した電極を有するものであっても、その電極に配置された配線による視認性低下が回避されることになる。
【００１５】
また、土手部材を電極及び配線と同一の材料から構成すれば、土手部材と電極及び配線とを１つの工程にてベース基材上に形成することができ、土手部材と電極及び配線との位置合わせが不要となる。
【発明の効果】
【００１６】
以上説明したように本発明においては、情報表示層を用いて情報を表示するために電圧が印加される第１の電極層が有する島状に孤立した電極に接続されてベース基材上に形成された配線の両側に、ベース基材の情報表示層側の表面からの高さが、その配線のベース基材上における形成高さよりも高い土手部材を配線に沿って形成したため、その土手部材によって、孤立した電極に接続された配線と情報表示層との間隔が、第１の電極層を構成する電極と情報表示層との間隔よりも広くなり、それにより、情報表示層のこの配線に対向する領域においては、島状に孤立した電極に印加された電圧の影響が小さくなり、島状に孤立した電極に印加される電圧に応じた色が表示されにくくなる。このように、ベース基材上に形成された配線の両側に、ベース基材の情報表示層側の表面からの高さが、その配線のベース基材上における形成高さよりも高い土手部材を配線に沿って形成することにより、情報を表示するために電圧が印加される電極が島状に孤立したものであっても、その電極に電圧を印加するための配線による視認性低下を回避することができる。
【００１７】
また、土手部材が電極及び配線と同一の材料から構成されているものにおいては、土手部材と電極及び配線とを１つの工程にてベース基材上に形成することができ、土手部材と電極及び配線との位置合わせを不要とすることができる。
【図面の簡単な説明】
【００１８】
【図１】本発明の情報表示装置の実施の一形態を示す図であり、（ａ）は表面図、（ｂ）は（ａ）に示したＡ−Ａ’断面図、（ｃ）は（ｂ）に示したＡ部拡大図、（ｄ）は（ｂ）に示した表示装置用電極基板の表面図、（ｅ）は（ｄ）に示したＢ−Ｂ’断面図、（ｆ）は（ｄ）に示したＣ−Ｃ’断面図である。
【図２】図１に示した情報表示装置１にてダルマの目を可変表示する際の動作を説明するための図であり、（ａ）はダルマの目を白色表示する際の表示電極近傍の断面を示す図、（ｂ）はダルマの目を着色表示する際の表示電極近傍の断面を示す図、（ｃ）は表示電極に電圧が印加された場合の配線近傍の断面を示す図である。
【図３】図１に示した情報表示装置におけるダルマの絵の見え方を説明するための図であり、（ａ）はダルマの目の紙面に向かって右側を着色表示、左側を白色表示した際の全体の見え方を示す図、（ｂ）は（ａ）に示した状態における表示電極及び配線が形成された領域の近傍の見え方を示す図、（ｃ）はダルマの目を両方とも着色表示した際の全体の見え方を示す図、（ｄ）は（ｃ）に示した状態における表示電極及び配線が形成された領域の近傍の見え方を示す図である。
【図４】一般的な電気泳動ディスプレイの積層構造を示す図であり、（ａ）は全体の積層構造を示す図、（ｂ）は（ａ）に示したＡ部拡大図である。
【発明を実施するための形態】
【００１９】
以下に、本発明の実施の形態について図面を参照して説明する。
【００２０】
図１は、本発明の情報表示装置の実施の一形態を示す図であり、（ａ）は表面図、（ｂ）は（ａ）に示したＡ−Ａ’断面図、（ｃ）は（ｂ）に示したＡ部拡大図、（ｄ）は（ｂ）に示した表示装置用電極基板１０の表面図、（ｅ）は（ｄ）に示したＢ−Ｂ’断面図、（ｆ）は（ｄ）に示したＣ−Ｃ’断面図である。
【００２１】
本形態は図１に示すように、ベース基材１３上に第１の電極層を構成する表示電極１１ａ，１１ｂが形成された表示装置用電極基板１０と、ガラスや透明フィルム等からなる透明基板２２の一方の面に第２の電極層である透明電極（例えば、ＩＴＯ）２１が形成されてなる透明導電膜基板２０との間に情報表示層３０が挟み込まれて構成された電気泳動ディスプレイである。すなわち、第１の電極層を構成する表示電極１１ａ，１１ｂと第２の電極層である透明電極２１とが、情報表示層３０を介して対向配置されている。
【００２２】
透明基板２２には、図１（ａ）に示すように、この情報表示装置１にて表示する情報に応じた形状にマスク印刷４０が施されており、このマスク印刷４０は、表示する情報の外側の全面にも施されている。本形態においては、ダルマの絵を表示するものであるため、ダルマの顔の輪郭や髭の部分にマスク印刷４０が施されているとともに、ダルマの外側の部分にマスク印刷が施されている。
【００２３】
情報表示層３０は図１（ｃ）に示すように、隔壁３１とシール層３４とで囲まれた領域に、帯電性粒子３３が分散した隔壁内液体３２が収容されて構成されている。そして、表示装置用電極基板１０、情報表示層３０及び透明導電膜基板２０は、透明電極２１と表示電極１１ａ，１１ｂとが、隔壁３１とシール層３４とで囲まれた領域に収容された隔壁内液体３２を介して対向するように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。
【００２４】
表示装置用電極基板１０は図１（ｄ）に示すように、ＰＥＴ等からなるベース基材１３の一方の面に、表示電極１１ａ，１１ｂと、表示電極１１ａ，１１ｂにそれぞれ電圧を印加するための配線１２ａ，１２ｂとが形成されるとともに、配線１２ａ，１２ｂの両側に配線１２ａ，１２ｂに沿って土手部材となるダミー電極１４が形成されて構成されている。表示電極１１ａ，１１ｂは、ベース基材１３の一方の面上に、表示される情報に応じたパターンで形成されている。本形態は、上述したようにダルマの絵を表示するものであって、ダルマの目を可変表示するためにダルマの目となる部分に表示電極１１ａ，１１ｂが設けられている。そのため、これら表示電極１１ａ，１１ｂは、島状に孤立したものとなっている。また、表示電極１１ａ，１１ｂにそれぞれ電圧を印加するための配線１２ａ，１２ｂは、その一端がそれぞれ表示電極１１ａ，１１ｂに接続され、そこからダルマの絵となる領域の外側に引き出され、他端が、表示電極１１ａ，１１ｂに電圧を印加するための回路（不図示）に接続されている。また、ダミー電極１４は、ベース基材１３の配線１２ａ，１２ｂが形成された面に形成されているが、図１（ｅ）に示すように、ベース基材１３上における形成高さが、配線１２ａ，１２ｂのベース基材１３上における形成高さよりも高くなっている。また、図１（ｆ）に示すように、ダミー電極１４は、ベース基材１３上における形成高さが、表示電極１１ａ，１１ｂのベース基材１３上における形成高さと同等となっている。
【００２５】
上記のように構成された表示装置用電極基板１０においては、ベース基材１３上に印刷を施すことによって表示電極１１ａ，１１ｂ、配線１２ａ，１２ｂ及びダミー電極１４を形成することができる。例えば、ベース基材１３上に、銀ペーストやカーボンペースト等の導電ペーストや導電インキを用いてスクリーン印刷によって表示電極１１ａ，１１ｂ、配線１２ａ，１２ｂ及びダミー電極１４を印刷することが考えられる。このようにスクリーン印刷によって表示電極１１ａ，１１ｂ、配線１２ａ，１２ｂ及びダミー電極１４を形成した場合、配線１２ａ，１２ｂの幅が狭いことから、表示電極１１ａ，１１ｂ及びダミー電極１４が形成される領域における導電ペーストや導電インキの塗布量と、配線１２ａ，１２ｂが形成される領域における導電ペーストや導電インキの塗布量とを互いに異ならせる制御を行わなくても、配線１２ａ，１２ｂのベース基材１３上における形成高さを、表示電極１１ａ，１１ｂ及びダミー電極１４上における形成高さよりも低くすることができる。その際、配線１２ａ，１２ｂの幅は、３６〜４８μｍを下限値として設定することが好ましい。
【００２６】
以下に、上記のように構成された情報表示装置１の動作について説明する。
【００２７】
図２は、図１に示した情報表示装置１にてダルマの目を可変表示する際の動作を説明するための図であり、（ａ）はダルマの目を白色表示する際の表示電極１１ｂ近傍の断面を示す図、（ｂ）はダルマの目を着色表示する際の表示電極１１ｂ近傍の断面を示す図、（ｃ）は表示電極１１ｂに電圧が印加された場合の配線１２ｂ近傍の断面を示す図である。なお、本例においては、図１に示したダルマの目の紙面に向かって左側、すなわち、表示電極１１ｂに対向する領域の色を可変表示する場合について説明するが、図１に示したダルマの目の紙面に向かって右側、すなわち、表示電極１１ａに対向する領域の色を可変表示する場合についても同様である。
【００２８】
図１に示した情報表示装置１においてダルマの目の紙面に向かって左側を白色表示する場合は、透明電極２１をＧＮＤ電位とし、また、ベース基材１３に形成された配線１２ｂを介して、表示電極１１ｂにマイナスの電圧を印加する。
【００２９】
すると、隔壁３１及びシール層３４で囲まれた領域に収容された隔壁内液体３２が誘電性物質からなり、帯電性粒子３３がマイナス電位に帯電しているものであることから、帯電性粒子３３が隔壁内液体３２内をクーロン力で移動し、図２（ａ）に示すように、マイナスの電圧が印加された表示電極１１ｂが形成された領域においては帯電性粒子３３が透明電極２１側に引き寄せられる。
【００３０】
そして、隔壁内液体３２が染料または顔料で着色されており、帯電性粒子３３が高屈折率の光散乱成分を含むため、この情報表示装置１を透明導電膜基板２０側から見た場合、表示電極１１ｂが形成された領域、すなわち、図１に示した情報表示装置１においてダルマの目の紙面に向かって左側が白色に見えるようになる。
【００３１】
また、図１に示した情報表示装置１においてダルマの目の紙面に向かって左側を着色表示する場合は、透明電極２１をＧＮＤ電位とし、また、ベース基材１３に形成された配線１２ｂを介して、表示電極１１ｂにプラスの電圧を印加する。
【００３２】
すると、上記同様に帯電性粒子３３が隔壁内液体３２内をクーロン力で移動し、図２（ｂ）に示すように、プラスの電圧が印加された表示電極１１ｂが形成された領域においては帯電性粒子３３が表示電極１１ｂ側に引き寄せられる。
【００３３】
そして、上述したように、隔壁内液体３２が染料または顔料で着色されており、帯電性粒子３３が高屈折率の光散乱成分を含むため、この情報表示装置１を透明導電膜基板２０側から見た場合、表示電極１１ｂが形成された領域、すなわち、図１に示した情報表示装置１においてダルマの目の紙面に向かって左側が着色された状態に見えるようになる。
【００３４】
なお、これらの状態において、情報表示層３０のうち、表示電極１１ａ，１１ｂに対向しない領域においては、帯電性粒子３３が隔壁内液体３２内に分散した状態となっており、それにより、情報表示装置１を透明導電膜基板２０側から見た場合、白色と着色された色との中間色に見えている。
【００３５】
ここで、上述したように表示電極１１ｂにプラスまたはマイナスの電圧が印加された場合、表示電極１１ｂには配線１２ｂを介してプラスまたはマイナスの電圧が印加されていることから、配線１２ｂと情報表示層３０との間隔が、表示電極１１ｂと情報表示層３０との間隔と同じ場合、配線１２ｂに対向する領域においても、帯電性粒子３３が透明電極２１と配線１２ｂとのいずれか一方に引き寄せられ、透明導電膜基板２０側から見た場合に白色または着色された状態に見えることとなる。ところが、この配線１２ｂは、ダルマの絵とは無関係であるため、配線１２ｂに対向する領域が白色または着色された状態に見えてしまうと、ダルマの絵のデザインが損なわれて視認性が低下してしまう。特に、表示電極１１ｂが島状に孤立しているものであることから、表示電極１１ｂまで延びる配線１２ｂに対向する領域にて見える色が目立ってしまう。
【００３６】
そこで、本形態においては、上述したように、配線１２ｂの両側に配線１２ｂに沿って、ベース基材１３上における形成高さが、配線１２ｂのベース基材１３上における形成高さよりも高いダミー電極１４を設けている。そのため、図２（ｃ）に示すように、配線１２ｂが形成された領域の近傍においては、ダミー電極１４が情報表示層３０の隔壁３１の底部に当接しているものの、このダミー電極１４が土手のように作用して配線１２ｂと情報表示層３０の隔壁３１とが当接していない。そして、ダミー電極１４のベース基材１３上における形成高さが、上述したように、表示電極１１ａ，１１ｂのベース基材１３上における形成高さと同等であることから、配線１２ｂと情報表示層３０との間隔が、表示電極１１ａ，１１ｂと情報表示層３０との間隔よりも広くなっている。このような構成においいては、帯電性粒子３３が、印加された電圧によって隔壁内液体３３内をクーロン力で移動するものであることから、配線１２ｂと情報表示層３０との間隔が広がることによって印加された電圧の影響が小さくなると、図２（ｃ）に示すように帯電性粒子３３の移動が少なくなり、それにより、情報表示層３０の配線１２ｂに対向する領域においては、情報表示装置１を透明導電膜基板２０側から見た場合、表示電極１１ａ，１１ｂに対向しない領域と同様に、白色と着色された色との中間色に見えることになる。
【００３７】
図３は、図１に示した情報表示装置１におけるダルマの絵の見え方を説明するための図であり、（ａ）はダルマの目の紙面に向かって右側を着色表示、左側を白色表示した際の全体の見え方を示す図、（ｂ）は（ａ）に示した状態における表示電極１１ａ，１１ｂ及び配線１２ａ，１２ｂが形成された領域の近傍の見え方を示す図、（ｃ）はダルマの目を両方とも着色表示した際の全体の見え方を示す図、（ｄ）は（ｃ）に示した状態における表示電極１１ａ，１１ｂ及び配線１２ａ，１２ｂが形成された領域の近傍の見え方を示す図である。
【００３８】
本形態における情報表示装置１は、選挙の当選祝い等に用いることができる。
【００３９】
まず、図３（ａ）に示すように、図１に示した情報表示装置１におけるダルマの絵において、紙面に向かって右側を着色表示、左側を白色表示しておく。これは、上述したように、透明電極２１をＧＮＤ電位とし、また、ベース基材１３に形成された配線１２ａを介して表示電極１１ａにプラスの電圧を印加するとともに、配線１２ｂを介して表示電極１１ｂにマイナスの電圧を印加することにより、表示電極１１ａが形成された領域においては帯電性粒子３３を表示電極１１ａ側に引き寄せ、表示電極１１ｂが形成された領域においては帯電性粒子３３を透明電極２１側に引き寄せ、それにより、表示電極１１ａが形成された領域、すなわち、ダルマの目の紙面に向かって右側を着色表示し、表示電極１１ｂが形成された領域、すなわち、ダルマの目の紙面に向かって左側を白色表示する。
【００４０】
この際、表示電極１１ａには配線１２ａを介してプラスの電圧が印加され、また、表示電極１１ｂには配線１２ｂを介してマイナスの電圧が印加されていることから、配線１２ａにはプラスの電圧が印加され、また、配線１２ｂにはマイナスの電圧が印加されているが、上述したように、配線１２ａ，１２ｂの両側に配線１２ａ，１２ｂに沿って形成されたダミー電極１４によって、配線１２ａ，１２ｂと情報表示層３０との間隔が、表示電極１１ａ，１１ｂと情報表示層３０との間隔よりも広くなっているため、図３（ｂ）に示すように、プラスの電圧が印加された配線１２ａに対向する領域は、着色表示されずに、表示電極１１ａ，１１ｂに対向しない領域と同様に白色と着色された色との中間色に見え、また、マイナスの電圧が印加された配線１２ｂに対向する領域においても、白色表示されずに、表示電極１１ａ，１１ｂに対向しない領域と同様に白色と着色された色との中間色に見えるようになる。
【００４１】
その後、選挙に当選する等した場合、図３（ｃ）に示すように、図１に示した情報表示装置１におけるダルマの目の両方とも着色表示する。これは、上述したように、透明電極２１をＧＮＤ電位とし、また、ベース基材１３に形成された配線１２ａ，１２ｂを介して表示電極１１ａ，１１ｂにプラスの電圧を印加することにより、表示電極１１ａ，１１ｂが形成された領域において帯電性粒子３３を表示電極１１ａ，１１ｂ側に引き寄せ、それにより、表示電極１１ａ，１１ｂが形成された領域、すなわち、ダルマの目の両方とも着色表示する。なお、ダルマの目の紙面に向かって右側においては、図３（ａ）に示した状態においても着色表示となっているため、表示電極１１ａに改めてプラスの電圧を印加することなく、着色表示とすることができる。
【００４２】
この際、表示電極１１ａ，１１ｂには配線１２ａ，１２ｂを介してプラスの電圧が印加されていることから、配線１２ａ，１２ｂにはプラスの電圧が印加されているが、上述したように、配線１２ａ，１２ｂの両側に配線１２ａ，１２ｂに沿って形成されたダミー電極１４によって、配線１２ａ，１２ｂと情報表示層３０との間隔が、表示電極１１ａ，１１ｂと情報表示層３０との間隔よりも広くなっているため、図３（ｄ）に示すように、プラスの電圧が印加された配線１２ａ，１２ｂに対向する領域は、着色表示されずに、表示電極１１ａ，１１ｂに対向しない領域と同様に白色と着色された色との中間色に見えるようになる。
【００４３】
これにより、この情報表示装置１を透明導電膜基板２０側から見た場合、表示電極１１ａ，１１ｂに対向する領域が白色または着色された状態となって、ダルマの目が入っている状態と入っていない状態とを表現することができるようになる。そして、表示電極１１ａ，１１ｂに対向しない領域においては、マスク印刷４０が施された領域を除く全ての領域において、白色と着色された色との中間色に見えることになり、表示されたダルマの絵の中に、ダルマの目を表示するための白色や着色された色によって、表示とは無関係の線等が入ってしまうことがない。特に、ダルマの目を表示するための表示電極１１ａ，１１ｂのように島状に孤立しているものであっても、その表示電極１１ａ，１１ｂまで延びる配線１２ａ，１２ｂに対向する領域にて表示には無関係の色が目立って表示されてしまうことがない。
【００４４】
このように本形態においては、ベース基材１３上に表示電極１１ａ，１１ｂに電圧を印加するために形成された配線１２ａ，１２ｂの両側に、ベース基材１３上における形成高さが、配線１２ａ，１２ｂのベース基材１３上における形成高さよりも高いダミー電極１４を配線１２ａ，１２ｂに沿って形成することにより、情報を表示するために電圧が印加される表示電極１１ａ，１１ｂが島状に孤立したものであっても、その表示電極１１ａ，１１ｂに電圧を印加するための配線１２ａ，１２ｂによる視認性低下を回避することができる。
【００４５】
なお、本形態においては、情報表示層３０の配線１２ａ，１２ｂに対向する領域が、透明導電膜基板２０側から見た場合に、白色と着色された色との中間色に見えるものを例に挙げて説明したが、この領域にて見える色は、白色と着色された色との厳密な中間色に限らない。これは、表示電極１１ａ，１１ｂに印加する電圧の大きさや、配線１２ａ，１２ｂと情報表示層３０との間隔、または、情報表示層３０における帯電性粒子３３の移動特性によって決まるものである。
【００４６】
また、本形態においては、ダミー電極１４が土手のように作用して配線１２ａ，１２ｂと情報表示層３０の隔壁３１とが当接しておらず、それにより、配線１２ａ，１２ｂと情報表示層３０との間隔が、表示電極１１ａ，１１ｂと情報表示層３０との間隔よりも広くなり、配線１２ａ，１２ｂにおいて、印加された電圧の影響が小さくなる場合について説明したが、配線１２ａ，１２ｂと情報表示層３０の隔壁３１とが当接しているものの、ダミー電極１４が土手のように作用して配線１２ａ，１２ｂと情報表示層３０の隔壁３１との密着の程度が、表示電極１１ａ，１１ｂと情報表示層３０の隔壁３１との密着の程度よりも低い場合であっても、その密着の程度の違いによって、配線１２ａ，１２ｂにおいて印加された電圧の影響が小さくなれば、上記同様の作用が生じることになる。
【００４７】
また、本形態においては、表示電極１１ａ，１１ｂに印加された電圧に応じて白色と着色された色とが表示されるものを例に挙げて説明したが、表示電極１１ａ，１１ｂに印加された電圧に応じて表示される色は、互いに識別可能な２色であればこれらの色に限らない。
【００４８】
また、本形態においては、表示電極１１ａ，１１ｂに電圧を印加するための配線１２ａ，１２ｂの両側に形成される土手部材として、表示電極１１ａ，１１ｂ及び配線１２ａ，１２ｂと同一の材料からなるダミー電極１４を例に挙げて説明したが、樹脂等からなるものであってもよく、また、ベース基材１３上に形成するのではなく、情報表示層３０の表示装置用電極基板１０に対向する面において、情報表示層３０と表示装置用電極基板１０とが積層された場合に配線１２ａ，１２ｂの両側に沿う領域に形成しておいてもよい。その場合、土手部材は、情報表示層３０と表示装置用電極基板１０とが積層された場合にベース基材１３に当接し、ベース基材１３の情報表示層３０側の表面からの高さが、配線１２ａ，１２ｂのベース基材１３上における形成高さよりも高いものとなる。ただし、本形態のように、土手部材を表示電極１１ａ，１１ｂ及び配線１２ａ，１２ｂと同一の材料からなるダミー電極１４とすれば、土手部材を表示電極１１ａ，１１ｂ及び配線１２ａ，１２ｂと同一の工程にてベース基材１３上に形成することができ、土手部材の表示電極１１ａ，１１ｂ及び配線１２ａ，１２ｂとの位置合わせが不要となる。
【００４９】
また、本形態においては、情報表示層３０として、隔壁内液体３２に分散した帯電性粒子３３が、表示電極１１ａ，１１ｂに対する電圧印加によって表示電極１１ａ，１１ｂ側または透明電極２１側に移動して表示が切り替わる垂直型電気泳動方式の薄型表示部材を例に挙げて説明したが、情報表示層３０としては、表示電極によって電圧が印加されることにより情報を表示する情報表示層を有するものであれば、コレステリック液晶や電子粉粒タイプのもの等、適宜適用することができる。
【符号の説明】
【００５０】
１    情報表示装置
１０    表示装置用電極基板
１１ａ，１１ｂ    表示電極
１２ａ，１２ｂ    配線
１３    ベース基材
１４    ダミー電極
２０    透明導電膜基板
２１    透明電極
２２    透明基板
３０    情報表示層
３１    隔壁
３２    隔壁内液体
３３    帯電性粒子
３４    シール層
【図１】
2011150065.tif 000003
【図２】
2011150065.tif 000004
【図３】
2011150065.tif 000005
【図４】
2011150065.tif 000006